(57)【要約】【課題】  経済的負担を最小限にし、特定の送信先番号について誤送信を防止するように構成したファクシミリ端末装置を提供する。【解決手段】  ファクシミリ端末装置１０は、送信先番号を記憶する番号記憶部１３と、コード情報が記載された原稿Ｐａを読み取った既存のファクシミリ機３０が送信した送信信号を受信して信号記憶部１５に記憶する信号記憶手段１７と、信号記憶手段１７に記憶された信号の中から原稿Ｐａに記載されたコード情報を抽出し、抽出したコード情報に基づいて送信先番号を取得する情報取得手段１４と、情報取得手段１４によって取得した送信先番号が番号記憶部１３に記憶された送信先番号に含まれているときは当該送信先番号で、それ以外は送信信号に含まれている送信先番号でファクシミリ回線２０を介してダイヤルし、信号記憶部１５に記憶された信号を送信するダイヤル送信手段１６とを有する。【選択図】        図１
2007251491.tif 000002
【特許請求の範囲】
【請求項１】
ファクシミリ回線と既存のファクシミリ機との間に介在して接続されるファクシミリ端末装置であって、
送信先番号を記憶する番号記憶部と、
コード情報が記載された原稿を読み取った前記既存のファクシミリ機が送信した送信信号を受信して信号記憶部に記憶する信号記憶手段と、
前記信号記憶手段に記憶された信号の中から前記原稿に記載されたコード情報を抽出し、抽出したコード情報に基づいて送信先番号を取得する情報取得手段と、
前記情報取得手段によって取得した送信先番号が前記番号記憶部に記憶された送信先番号に含まれているときは当該送信先番号で、それ以外は前記送信信号に含まれている送信先番号で前記ファクシミリ回線を介してダイヤルし、前記信号記憶部に記憶された信号を送信するダイヤル送信手段とを有するファクシミリ端末装置。
【請求項２】
請求項１に記載したファクシミリ端末装置であって、
番号記憶部に記憶する送信先番号の修正、追加または削除を行う番号設定手段を有するファクシミリ端末装置。
【請求項３】
請求項１または２に記載したファクシミリ端末装置であって、
情報取得手段は、複数ページからなる原稿については各ページについてコード情報の抽出を行う構成としたファクシミリ端末装置。
【請求項４】
請求項１から３のいずれか一項に記載したファクシミリ端末装置であって、
情報取得手段は複数ページからなる原稿については各ページにおけるページ情報を取得し、
ダイヤル送信手段による送信を行う前に前記情報取得手段によって取得したページ情報に従ってページをソートするページソート手段を有するファクシミリ端末装置。
【発明の詳細な説明】
【技術分野】
【０００１】
本発明は、ファクシミリ回線と既存のファクシミリ機との間に介在して接続されるファクシミリ端末装置に関する。
【背景技術】
【０００２】
従来では、バーコードからデータを読み取るリーダを備え、当該リーダによって送信原稿に記載されたデータを読み取って送信先のファクシミリ番号もしくは電話番号（以下では単に「送信先番号」と呼ぶ。）にダイヤルし、送信原稿の内容を自動的に送信するように構成されたファクシミリ機の一例が開示されている（例えば特許文献１を参照）。
【特許文献１】特開平５−３００３８７号公報
【発明の開示】
【発明が解決しようとする課題】
【０００３】
しかし、既にファクシミリ機を所有している者にとっては、特許文献１のファクシミリ機を新たに購入するのは大きな経済的負担となるだけでなく、ファクシミリ回線が一つしか無い場合には既存のファクシミリ機が有効に活かせずに無駄となる。
一方、特許文献１のファクシミリ機ではバーコードとして記載された送信先番号に送信されるので御送信を防止できるものの、例えば広告などのような秘匿性が低い情報を送信する場合などではバーコードとして記載され場合に必ずしもその送信先番号で送信する必要がない。
【０００４】
本発明はこのような点に鑑みてなしたものであり、既存のファクシミリ機を活かしながら経済的負担を最小限にし、かつ特定の送信先番号に限っては誤送信を防止するように構成したファクシミリ端末装置を提供することを目的とする。
【課題を解決するための手段】
【０００５】
（１）課題を解決するための手段（以下では単に「解決手段」と呼ぶ。）１は、ファクシミリ回線と既存のファクシミリ機との間に介在して接続されるファクシミリ端末装置であって、送信先番号を記憶する番号記憶部と、コード情報が記載された原稿を読み取った前記既存のファクシミリ機が送信した送信信号を受信して信号記憶部に記憶する信号記憶手段と、前記信号記憶手段に記憶された信号の中から前記原稿に記載されたコード情報を抽出し、抽出したコード情報に基づいて送信先番号を取得する情報取得手段と、前記情報取得手段によって取得した送信先番号が前記番号記憶部に記憶された送信先番号に含まれているときは当該送信先番号で、それ以外は前記送信信号に含まれている送信先番号で前記ファクシミリ回線を介してダイヤルし、前記信号記憶部に記憶された信号を送信するダイヤル送信手段とを有するを要旨とする。なお、「既存のファクシミリ機」は一般的な機能を有するファクシミリ機である。
【０００６】
解決手段１によれば、情報取得手段がコード情報を読み取って送信先番号を取得し、取得した送信先番号が番号記憶部に記憶された送信先番号に含まれているときは当該送信先番号でファクシミリ回線を介してダイヤルする。一方、情報取得手段によって取得した送信先番号が番号記憶部に記憶された送信先番号に含まれていないときは、既存のファクシミリ機で入力された送信先番号でファクシミリ回線を介してダイヤルする。そして回線が確立した後は、信号記憶部に記憶された信号（すなわち原稿の情報）を送信する。このように番号記憶部に記憶された特定の送信先番号については誤送信を防止して原稿を送信することが可能になる。また、本発明のファクシミリ端末装置はファクシミリ回線と既存のファクシミリ機との間に介在して接続されるアダプタに過ぎないので、特許文献１のファクシミリ機よりも大幅に安価に抑えられるので、既存のファクシミリ機を活かしながら経済的負担を最小限にすることができる。
【０００７】
（２）解決手段２は、解決手段１に記載したファクシミリ端末装置であって、番号記憶部に記憶される送信先番号の修正、追加または削除を行う番号設定手段を有することを要旨とする。
【０００８】
解決手段２によれば、番号設定手段によって番号記憶部に記憶される送信先番号の修正、追加または削除がいつでも簡単に行えるようになる。
【０００９】
（３）解決手段３は、解決手段１または２に記載したファクシミリ端末装置であって、情報取得手段は、複数ページからなる原稿については各ページについてコード情報の抽出を行う構成としたことを要旨とする。
【００１０】
複数ページからなる原稿については、必ずしも１ページ目にコード情報が記載されているとは限らない。解決手段３によれば、情報取得手段が１ページ目だけでなく２ページ目以降の各ページについてもコード情報の抽出を行うので、コード情報として記録された送信先番号に確実に送信することができる。
【００１１】
（４）解決手段４は、解決手段１から３のいずれか一項に記載したファクシミリ端末装置であって、情報取得手段は複数ページからなる原稿については各ページにおけるページ情報を取得し、ダイヤル送信手段による送信を行う前に前記情報取得手段によって取得したページ情報に従ってページをソートするページソート手段を有することを要旨とする。
【００１２】
解決手段４によれば、情報取得手段が取得したページ情報に基づいて、ページソート手段が複数ページからなる原稿のページをソートする。既存のファクシミリ機で読み取った段階では順不同であっても、送信先では１ページ目から順番に受信される。したがって、再読み取りや再送信などの手間を省くことができる。
【発明の効果】
【００１３】
本発明によれば、既存のファクシミリ機を活かしながら経済的負担を最小限にし、かつ特定の送信先番号に限っては誤送信を防止することができる。
【発明を実施するための最良の形態】
【００１４】
本発明を実施するための最良の形態について、図１〜図８を参照しながら説明する。図１には本発明の構成例を模式的に表す。図２には番号設定処理の手続き例をフローチャートで表す。図３には信号記憶処理の手続き例をフローチャートで表す。図４、図５にはダイヤル送信処理の手続き例をフローチャートで表す。図４と図５の間は結合子Ｊ１、Ｊ２、Ｊ３においてそれぞれ処理が継続する。図６には原稿の記載例を表し、図７、図８にはファクシミリ端末装置から送信される原稿の内容を表す。
【００１５】
図１において、本発明のファクシミリ端末装置１０は、ファクシミリ回線２０と既存のファクシミリ機３０との間に介在して接続される。このファクシミリ端末装置１０は、既存のファクシミリ機３０から送信された信号を一時的に信号記憶部１５に記憶し、所定の処理を行ったうえでファクシミリ回線２０を介して送信先に送信（伝達）する。一方、ファクシミリ回線２０を通じて相手先から送られてきた信号は、何ら加工もせずにそのまま既存のファクシミリ機３０に伝達する。
【００１６】
ファクシミリ端末装置１０は、番号設定手段１１、表示部１２、番号記憶部１３、情報取得手段１４、信号記憶部１５、ダイヤル送信手段１６、信号記憶手段１７などを有する。番号設定手段１１は例えばテンキーやキーボードなどを有しており、番号記憶部１３に記憶する送信先番号の修正、追加または削除を行う。この番号設定手段１１は、番号記憶部１３に記憶する送信先番号を表示部１２に表示する機能をも有する。
【００１７】
番号記憶部１３は送信先番号を記憶する記憶装置または記憶領域である。同様に、信号記憶部１５は既存のファクシミリ機３０から送信された送信信号を記憶する記憶装置または記憶領域である。これらの番号記憶部１３と信号記憶部１５は、同一の記憶装置で構成してもよく、別個の記憶装置で構成してもよい。ただし、番号記憶部１３は不揮発性の記憶装置（例えばフラッシュメモリやディスク装置等）で構成するのが望ましい。
【００１８】
信号記憶部１５に記憶される送信信号には、既存のファクシミリ機３０で読み取られた原稿Ｐａの記載内容にかかるデータを含む。この原稿Ｐａには、通信文や絵図などからなる記載内容Ｐｃだけでなく、コード情報Ｐｂを含むことが前提となる。本例のコード情報Ｐｂでは、記録可能な情報量を多くするために二次元バーコードを適用している。なお、コード情報Ｐｂは、原稿Ｐａにおける任意の位置に記載できるが、一定の位置（例えば図６に表す原稿Ｐａの左上隅部）に記載されると抽出が容易になる。
【００１９】
表示部１２には送信先番号が表示可能な任意の表示器を用いることができ、例えば液晶表示器やＬＥＤ表示器などが該当する。情報取得手段１４は、信号記憶部１５に記憶された信号の中から原稿Ｐａに記載されたコード情報Ｐｂを抽出し、抽出したコード情報Ｐｂに基づいて送信先番号を取得する。ダイヤル送信手段１６は、ファクシミリ回線２２を介して送信先番号にダイヤルし、信号記憶部１５に記憶された信号（すなわち原稿Ｐａの記載内容）を送信する。ダイヤルする送信先番号は、情報取得手段１４によって取得した送信先番号が番号記憶部１３に記憶された送信先番号に含まれているとき、当該送信先番号を選択する。これに対して、番号記憶部１３に記憶された送信先番号に含まれていないとき、信号記憶部１５に記憶された送信信号に含まれている送信先番号（言い換えれば既存のファクシミリ機３０で入力された送信先番号）を選択する。
【００２０】
上述のように構成されたファクシミリ端末装置１０で実行される処理の手続き例について、図２〜図５に表したフローチャートを参照しながら説明する。これらの図２〜図５に表した各処理は、ファクシミリ端末装置１０の電源が投入されてから遮断されるまでの間においてそれぞれ繰り返し実行される。
【００２１】
図２に表した番号設定処理は、番号設定手段１１の諸機能を実現する。まず、番号記憶部１３に記憶（登録）されている送信先番号のリスト（以下では単に「登録番号リスト」と呼ぶ。図中の記載も同様である。）を表示部１２に表示し〔ステップＳ２０〕、現在の記憶状況を報知する。続いて修正、追加、削除のうち、いずれの設定を行うかを選択する〔ステップＳ２１〕。選択した項目に応じて、次のように処理を分岐する。
【００２２】
ａ）修正を行う場合において、移動キー等によって修正すべき送信先番号（図中では単に「番号」と記載する。）を選択し〔ステップＳ１０〕、テンキー等によって正しい送信先番号を入力すると〔ステップＳ１１〕、選択された送信先番号に代わって入力された送信先番号を設定する〔ステップＳ１２〕。
ｂ）追加を行う場合において、テンキー等によって追加する送信先番号を入力すると〔ステップＳ２２〕、入力された送信先番号を追加して設定する〔ステップＳ２３〕。
ｃ）削除を行う場合において、移動キー等によって削除すべき送信先番号を選択すると〔ステップＳ３０〕、選択された送信先番号を削除する〔ステップＳ３１〕。
【００２３】
図３に表した信号記憶処理は、信号記憶手段１７の諸機能を実現する。まず、既存のファクシミリ機３０から送信される送信信号を検出したか否かを判別する〔ステップＳ４０〕。もし送信信号を検出したときは（ＹＥＳ）、信号記憶部１５に送信信号を記憶するだけのスペースがある場合に限って（ステップＳ４１でＹＥＳ）、送信信号を信号記憶部１５に記憶する〔ステップＳ４２〕。
【００２４】
一方、信号記憶部１５に送信信号を記憶するスペースが無いときは（ステップＳ４１のＮＯ）、後述する図５のステップＳ６４によって送信済みの送信信号が削除されて記憶スペースを確保できるまで待機する。この待機期間中は、既存のファクシミリ機３０に対してビジー信号を送って、既存のファクシミリ機３０が送信信号を送り続けないようにするのが望ましい。なお、ステップＳ４０において既存のファクシミリ機３０から送信される送信信号を検出しないときは（ＮＯ）、記憶すべき送信信号が無いのでそのまま信号記憶処理を終える。
【００２５】
図４、図５に表したダイヤル送信処理は、ダイヤル送信手段１６の諸機能を実現する。まず、信号記憶部１５に未だ送信されていない送信信号が記憶されたままであるか否かを判別する〔ステップＳ５０〕。この送信信号は、図３のステップＳ４２によって記憶された送信信号である。もし未送信の送信信号が無いときは（ＮＯ）、そのままダイヤル送信処理を終える。一方、ステップＳ５０で未送信の送信信号があるときは（ＹＥＳ）、ステップＳ５１以下の処理を続ける。
【００２６】
すなわち送信信号における原稿Ｐａの１ページ目にかかるデータからコード情報Ｐｂの抽出を試みる〔ステップＳ５１〕。もしコード情報Ｐｂが抽出できず（ＮＯ）、かつ原稿Ｐａの次ページが存在するときは（ステップＳ５３でＹＥＳ）、当該次ページにかかるデータからコード情報Ｐｂの抽出を試み〔ステップＳ５４〕、ステップＳ５２に戻って抽出の有無を判別する。
【００２７】
一方、ステップＳ５３において原稿Ｐａの最終ページであって次ページが存在しないときは（ＮＯ）、結果としてコード情報Ｐｂが抽出できなかったので、信号記憶部１５に記憶された送信信号に含まれる送信先番号、すなわち既存のファクシミリ機３０で入力（ダイヤル）された番号を設定したうえで〔ステップＳ６４〕、後述するステップＳ５９以降の処理を続ける。
【００２８】
もしステップＳ５２でコード情報Ｐｂを抽出できたときは（ＹＥＳ）、当該コード情報Ｐｂに基づいて所定の情報を取得する〔ステップＳ５５〕。所定の情報には、例えば送信先番号や、送信先や送信元に関する情報（すなわち会社名・部署名・役職名・担当者名等）などが該当する。そして、ステップＳ５５で取得した情報のうちで送信先番号について、登録番号リストに記憶（登録）されているか否かを照合する〔ステップＳ５６〕。
【００２９】
図５に移って、もしステップＳ５５で取得した送信先番号が登録番号リストに登録されているときは（ステップＳ５７でＹＥＳ）、この送信先番号をダイヤル先として設定する〔ステップＳ５８〕。一方、ステップＳ５５で取得した送信先番号が登録番号リストに登録されていないときは（ステップＳ５７でＮＯ）、信号記憶部１５に記憶された送信信号に含まれる送信先番号、すなわち既存のファクシミリ機３０で入力（ダイヤル）された番号を設定する〔ステップＳ６４〕。
【００３０】
その後、ステップＳ５８またはステップＳ６２で設定した送信先番号にダイヤルし〔ステップＳ５９〕、ファクシミリ回線２０での通信が確立すると（ステップＳ６０でＹＥＳ）、後述するヘッダーＰｄの設定およびページのソートのうちで一方または双方を必要に応じて行い〔ステップＳ６１〕、信号記憶部１５に記憶された送信信号（すなわち原稿の内容）を送信し〔ステップＳ６２〕、送信を完了した送信信号を信号記憶部１５から削除する〔ステップＳ６３〕。こうして送信信号を削除することにより、次回以降に送信可能な送信信号を記憶するスペースを確保することができる。
【００３１】
ここで、ステップＳ６１においてヘッダーＰｄを設定する場合について以下に説明する。ヘッダーＰｄは、送信信号に含まれる原稿Ｐａ（例えば１ページ目）に置換または追加することで設定を行う。ヘッダーＰｄを設定するか否かに応じて、送信する原稿Ｐａの内容がどのように変わるかについて、図６、図７に表した原稿Ｐａを例に説明する。もしステップＳ６１の設定を行わなければ、図６に表した原稿Ｐａの記載通りにそのままステップＳ６２で送信する。一方、ステップＳ６１の設定を行う場合には、図７に表すようにコード情報Ｐｂに代えてヘッダーＰｄを記載して記載内容ＰｃとともにステップＳ６２で送信したり、図７に表すようにコード情報Ｐｂに加えてヘッダーＰｄを記載して記載内容ＰｃとともにステップＳ６２で送信する。ヘッダーＰｄには、例えば日付情報Ｐｅ、送信先情報Ｐｆ、送信元情報Ｐｇなどが該当する。送信先情報Ｐｆや送信元情報Ｐｇは、例えば会社名・部署名・役職名・担当者名等が該当する。
【００３２】
また、ステップＳ６１においてページをソートする場合について以下に説明する。図４のステップＳ５１ではコード情報Ｐｂとともに原稿Ｐａのページ情報を抽出し、ステップＳ５５では抽出したページ情報に基づいて文字認識を行い、各ページのページ番号を取得する必要がある。ページ情報は、原稿Ｐａが複数ページで構成される場合において、何ページ目なのかを表す。コード情報Ｐｂの場合と同様に、ページ情報も一定の位置（例えば原稿Ｐａの下辺中央部）に記載されると抽出が容易になる。ページ番号は、原稿Ｐａの何ページ目なのかを表す数値である。こうして取得したページ番号に従って、ステップＳ６１では原稿Ｐａを構成するページをソートする。
【００３３】
なお、ステップＳ５８またはステップＳ６２で設定した送信先番号にダイヤルしても〔ステップＳ５９〕、ファクシミリ回線２０での通信が確立しなかったときは（ステップＳ６０でＮＯ）、リトライ回数が上限値（例えば３回）に達するまでは（ステップＳ６５でＮＯ）、リダイヤルするために、ステップＳ５９に戻る。リトライ回数が上限値に達しても（ステップＳ６５でＹＥＳ）、ファクシミリ回線２０での通信が確立しなければそのままダイヤル送信処理を終える。この場合は、まだ送信信号が信号記憶部１５に記憶されているので、次回以降のダイヤル送信処理を実行する際に送信が可能である。
【００３４】
上述した実施の形態によれば、以下に表す各効果を得ることができる。
（１）情報取得手段１４がコード情報を読み取って送信先番号を取得し（ステップＳ５５）、取得した送信先番号が番号記憶部１３に記憶された送信先番号に含まれているときは当該送信先番号でファクシミリ回線２０を介してダイヤルする（ステップＳ５８、Ｓ５９）。一方、情報取得手段１４によって取得した送信先番号が番号記憶部１３に記憶された送信先番号に含まれていないときは、既存のファクシミリ機３０で入力された送信先番号でファクシミリ回線２０を介してダイヤルする（ステップＳ６４、Ｓ５９）。回線が確立した後は、信号記憶部１５に記憶された信号（すなわち原稿Ｐａの内容）を送信する（ステップＳ６０、Ｓ６２）。このように番号記憶部１３に登録番号リストとして記憶（登録）された特定の送信先番号については誤送信を防止して原稿Ｐａを送信することができる。また、ファクシミリ端末装置１０はファクシミリ回線２０と既存のファクシミリ機３０との間に介在して接続されるアダプタに過ぎないので、コストが大幅に安価に抑えられ、既存のファクシミリ機３０を活かしながら経済的負担を最小限にすることができる。
【００３５】
（２）番号記憶部１３に登録番号リストとして記憶（登録）される送信先番号の修正、追加または削除を行う番号設定手段１１を備えたので（図２を参照）、送信先番号の修正、追加または削除がいつでも簡単に行えるようになる。
【００３６】
（３）複数ページからなる原稿Ｐａについては、必ずしも１ページ目にコード情報が記載されているとは限らないが、情報取得手段１４は原稿Ｐａの各ページについてコード情報の抽出を行う（ステップＳ５１、Ｓ５２、Ｓ５３、Ｓ５４）。したがって、コード情報として記録された送信先番号に確実に送信することができる。
【００３７】
（４）情報取得手段１４が取得したページ情報に基づいて、ページソート手段が複数ページからなる原稿Ｐａのページをソートする（ステップＳ６１）。既存のファクシミリ機３０で読み取った段階では順不同であっても、送信先では１ページ目から順番に受信される。したがって、再読み取りや再送信などの手間を省くことができる。
【００３８】
〔他の実施の形態〕
以上では本発明を実施するための最良の形態について説明したが、本発明は当該形態に何ら限定されるものではない。言い換えれば、本発明の要旨を逸脱しない範囲内において、種々なる形態で実施することができる。例えば、次に示す各形態を実現してもよい。
【００３９】
（１）上述した実施の形態では、原稿Ｐａに記載するコード情報Ｐｂとして二次元バーコードを適用した（図６を参照）。この形態に代えて（あるいは加えて）、一次元バーコードを適用してもよく、図９に示すように文字そのものをコード情報Ｐｂとして適用してもよい。一次元バーコードは数字しか記録できないので、情報取得手段１４は送信先番号を取得できるにとどまる。図９のコード情報Ｐｂには、送信先の会社名・部署名・担当者名を記載している。この場合、情報取得手段１４は文字認識機能を備え、かつ認識したデータ（本例では会社名・部署名・担当者名のいずれか）に対応する送信先番号を予めメモりに記憶させておく必要がある。したがって、原稿Ｐａには通常通りの記載をするだけで送信先番号を特定し、当該送信先番号にダイヤルして送信を行えるので、原稿Ｐａへの記載に対する負担が無い。
【００４０】
コード情報Ｐｂにかかる他の例としては、送信先番号や会社名・部署名・担当者名等に関連付けた固有の数字・英字・記号・符号等の記載や、原稿Ｐａの表面や内部に備えた磁性体（磁気による記録）、原稿Ｐａに設けた孔（紙テープ用の穿孔に類似させた記録）、原稿Ｐａの表面や内部に備えたＩＣチップ（ＩＣによる記録）などが該当する。いずれの記載方法であっても、コード情報Ｐｂから送信先番号や会社名・部署名・担当者名等を特定することによって、送信先に確実に送信することができる。
【００４１】
（２）上述した実施の形態では、コード情報Ｐｂに基づいて送信先や送信元の会社名・部署名等のような一定の項目をヘッダーＰｄとして原稿Ｐａ内に設定したうえで送信する構成とした（図７、図８を参照）。この形態に代えて（あるいは加えて）、ヘッダーＰｄとして原稿Ｐａ内に設定する項目を指定したり解除する項目編集手段を備える構成としてもよい。この項目編集手段は、別個に備えた操作部材（例えばボタンやスイッチ等）を操作したり、表示部１２に表示したメニューの選択を行ったときに実行されるように構成する。そして、会社名・部署名・役職名・担当者名等のような項目の中から設定すべき項目を選択して指定したり、選択した項目を設定する位置・文字サイズ・装飾等を指定したり、既に指定された項目を解除するなどを実現する。この構成によれば、送信先に対応した原稿ＰａのヘッダーＰｄを自動的に設定することが可能になる。ヘッダーに限らず、原稿Ｐａの下側に記載するフッターとして設定することも可能である。
【００４２】
（３）上述した実施の形態では、送信先番号のみを番号記憶部１３に記憶する構成とした。この形態に代えて、送信先番号とともに、当該送信先番号に対応する送信先を特定する情報（例えば会社名・部署名・担当者名等が該当し、以下では「送信先特定情報」と呼ぶ。）を記憶する構成としてもよい。送信先番号とともに送信先特定情報を表示部１２に表示すると、どの送信先に関する送信先番号が記憶されているのかを判断し易くなる。さらに、送信先特定情報を情報取得手段１４で取得して番号記憶部１３に記憶する構成とすれば、当該送信先特定情報を別個に入力する手間が省け、入力ミスを防止できる。
【図面の簡単な説明】
【００４３】
【図１】本発明の構成例を模式的に表す図である。
【図２】番号設定処理を表すフローチャートである。
【図３】信号記憶処理を表すフローチャートである。
【図４】ダイヤル送信処理を表すフローチャートである。
【図５】図４に続くダイヤル送信処理を表すフローチャートである。
【図６】原稿の記載例を説明する図である。
【図７】ファクシミリ端末装置から送信される原稿の内容を説明する図である。
【図８】ファクシミリ端末装置から送信される原稿の内容を説明する図である。
【図９】コード情報の一例を表す図である。
【符号の説明】
【００４４】
１０  ファクシミリ端末装置
１１  番号設定手段
１２  表示部
１３  番号記憶部
１４  情報取得手段
１５  信号記憶部
１６  ダイヤル送信手段
１７  信号記憶手段
２０  ファクシミリ回線
３０  既存のファクシミリ機
Ｐａ  原稿
Ｐｂ  コード情報
Ｐｃ  記載内容
Ｐｄ  ヘッダー
Ｐｅ  日付情報
Ｐｆ  送信先情報
Ｐｇ  送信元情報
【図１】
2007251491.tif 000003
【図２】
2007251491.tif 000004
【図３】
2007251491.tif 000005
【図４】
2007251491.tif 000006
【図５】
2007251491.tif 000007
【図６】
2007251491.tif 000008
【図７】
2007251491.tif 000009
【図８】
2007251491.tif 000010
【図９】
2007251491.tif 000011